(57)【要約】【課題】開封し易く、被包装物の取出しが容易となる包装用袋を提供すること。【解決手段】本発明による包装用袋１２は、第１包装フィルム２０と、第２包装フィルム３０と、第１と第２の包装フィルムの外周部分をシールすることによって形成される、被包装物を収容する収容部１５と、第１包装フィルムに形成された第１開封線２２と、第２包装フィルムに形成された第２開封線３２と、第１と第２の包装フィルムの外周部分のシール部１６の外縁に形成された開封開始点４２とを備える包装用袋であって、第１と第２の開封線が所定の交差角度をもって交差しており、その交差部４０が、シール部よりも内側に位置すると共に、シール部の任意の位置の近傍にあり、開封開始点が、任意の位置の側の第１開封線の端部と第２開封線の端部との間に形成されていることを特徴とする。【選択図】図１
2018002227.tif 000002
【特許請求の範囲】
【請求項１】
第１包装フィルムと、
前記第１包装フィルムに対向して配置された第２包装フィルムと、
前記第１包装フィルム及び前記第２包装フィルムの外周部分をシールすることによって形成される、被包装物を収容する収容部と、
前記第１包装フィルムに形成された第１開封線と、
前記第２包装フィルムに形成された第２開封線と、
前記第１包装フィルム及び前記第２包装フィルムの外周部分のシール部の外縁に形成された開封開始点と
を備える包装用袋であって、
前記第１開封線及び前記第２開封線が所定の交差角度をもって交差しており、
前記第１開封線及び前記第２開封線の交差部が、前記シール部よりも内側に位置すると共に、前記シール部の任意の位置の近傍にあり、
前記開封開始点が、前記任意の位置の側の前記第１開封線の端部と前記第２開封線の端部との間に形成されている、包装用袋。
【請求項２】
前記第１開封線及び前記第２開封線の少なくとも一方が、１本以上の直線状又は曲線状の弱化線からなる、請求項１に記載の包装用袋。
【請求項３】
前記第１開封線及び前記第２開封線の少なくとも一方が複数本の前記弱化線から構成されており、当該開封線の幅が３ｍｍ以上である、請求項２に記載の包装用袋。
【発明の詳細な説明】
【技術分野】
【０００１】
本発明は包装用袋に関し、特に、貼付剤用の包装用袋に関する。
【背景技術】
【０００２】
主として貼付剤を被包装物とする包装用袋としては、特許文献１に開示されているような開封線（引き裂きを容易にする線）を備えたものが知られている。この開封線は、包装用袋の表裏の包装フィルムに形成されており、また、それらは同一位置に形成されている。
【０００３】
しなしながら、上述したような包装用袋は、開封後、包装用袋の表側開封線と裏側開封線が揃っているため、包装用袋を開け広げることが困難となり、さらに被包装物が開封線よりも内側に偏っているため、中の被包装物を取り出しにくい場合がある。
【０００４】
そこで、特許文献２に開示されているような包装用袋が提案されている。この包装用袋は、図７に示すように、表側包装フィルム１００の開封線１１０と裏側包装フィルム１２０の開封線１３０とがずれた状態で形成されており、開封した場合に表側包装フィルム１００の開封線１１０から被包装物１４０の一部が露出して被包装物１４０の取出しが容易となるように構成されている。
【先行技術文献】
【特許文献】
【０００５】
【特許文献１】登録実用新案第２５６６４４４号公報
【特許文献２】特許第５５３００８２号公報
【発明の概要】
【発明が解決しようとする課題】
【０００６】
特許文献１及び２に記載されているような包装用袋を開封する場合、包装用袋の縁部に形成された切欠き等の開封開始点から包装用袋を手で引き裂く方法が一般的である。
【０００７】
特許文献１に記載の包装用袋の場合、表裏の開封線の一端又は両端に開封開始点があり、ここを起点にして包装用袋を引き裂くと、開封線に沿って表裏の包装フィルムが引き裂かれる。この場合、通常、開封線から外れることなく包装フィルムは引き裂かれる。
【０００８】
特許文献２に記載の包装用袋も、２本の開封線１１０，１３０の一端が包装フィルム１００，１２０のシール部の同位置にあり、そこに開封開始点１５０が配置されている。しかしながら、この開封開始点１５０から包装用袋を引き裂くと、引裂き方によっては、一方の開封線１１０又は１３０に沿って包装フィルム１００又は１２０が引き裂かれず、その開封線から逸脱して包装フィルム１００又は１２０の他の部分が引き裂かれるおそれがある。
【０００９】
この問題は、包装用袋の引裂きを慎重に行う、或いは、特許文献２の図６に示すように開封線を構成するミシン目を特殊な構成とするという手段を講ずることで回避することができるが、他の解決手段も求められている。
【課題を解決するための手段】
【００１０】
そこで、本発明による包装用袋は、第１包装フィルムと、第１包装フィルムに対向して配置された第２包装フィルムと、第１包装フィルム及び第２包装フィルムの外周部分をシールすることによって形成される、被包装物を収容する収容部と、第１包装フィルムに形成された第１開封線と、第２包装フィルムに形成された第２開封線と、第１包装フィルム及び第２包装フィルムの外周部分のシール部の外縁に形成された開封開始点とを備える包装用袋において、第１開封線及び第２開封線が所定の交差角度をもって交差しており、第１開封線及び第２開封線の交差部が、シール部よりも内側に位置すると共に、シール部の任意の位置の近傍にあり、開封開始点が、前記任意の位置の側の第１開封線の端部と第２開封線の端部との間に形成されていることを特徴としている。
【００１１】
かかる構成によれば、開封開始点から包装用袋を引き裂くと、力のかけ方や方向に拘わらず、引裂きの進行方向に延びていく線（以下「引裂き線」という）は第１開封線又は第２開封線のいずれか一方に接し、その接した開封線に沿って包装用袋が開封されていく。この後、第１開封線又は第２開封線の他方にも引裂き線が接することになるが、このとき、引裂き線の先端は第１開封線と第２開封線の交差部に位置することになる。交差部はシール部よりも内側であり、第１開封線と第２開封線とが接合していないので、引裂き線は他方の開封線でも誘導され、この開封線に沿って進んでいく。このようにして、第１開封線と第２開封線に沿って包装用袋が安定して引き裂かれていく。
【００１２】
これに対して特許文献２に開示された包装用袋では、２本の開封線の端部が包装用袋のシール部において重なって接合されるため、引裂き線が開封線の一方に乗りにくく、開封線から外れた方向に進むおそれがあったが、そのような状況は本発明の包装用袋では大幅に抑制されることとなる。
【００１３】
なお、第１開封線と第２開封線の少なくとも一方は、１本以上の直線状又は曲線状の弱化線からなることが好適である。
【００１４】
ここで、弱化線は、ミシン目の他、研削工具、切削工具、プレス工具、レーザ光等により包装フィルムに施された微小なエンボス、切込み、細孔、傷痕部、劣化部等からなるいわゆる傷痕加工線又は劣化加工線等を含むものである。また、弱化線は、細線状のもののみならず、幅広のものも含む。
【００１５】
第１開封線及び第２開封線の少なくとも一方が複数本の弱化線からなる場合、その幅は３ｍｍ以上であることが好ましい。開封線に幅を持たせることにより、引裂き線に別の方向の外力が加わったとしても開封線内に収まるようにすることができるからである。
【発明の効果】
【００１６】
上述したように、本発明によれば、ある交差角度をもって異なる方向に延びる第１開封線と第２開封線を有する包装用袋を開封した場合、それぞれの開封線に沿って包装用袋は引き裂かれることになる。その結果、被包装物は第１開封線又は第２開封線のいずれかから一部が露出することとなり、中の被包装物の取出しが容易となるという効果を奏することができる。
【００１７】
また、引裂き方向や力のかけ方など特別な注意を払う必要性が少ない。さらに、開封線を構成するミシン目等の弱化線も複雑なものにする必要がなく、製造が容易となる、等の効果を奏することができる。
【図面の簡単な説明】
【００１８】
【図１】本発明による包装用袋の、開封前の斜視図である。
【図２】（ａ）〜（ｄ）は図１に示した包装用袋を引き裂いた場合のその状態を時系列で示す図である。
【図３】図１に示した包装用袋の開封した後の状態を表す斜視図である。
【図４】本発明による包装用袋の別の実施形態を示す部分正面図である。
【図５】本発明の効果を検証するための実験で用いる包装フィルムを概略的に示す正面図である。
【図６】本発明による包装用袋の更に別の実施形態を示す正面図である。
【図７】従来の包装用袋の斜視図である。
【発明を実施するための形態】
【００１９】
以下、図面を参照しながら本発明の好適な実施形態について詳細に説明する。図１は、本発明による包装体１０の斜視図である。包装体１０は、包装用袋１２と、例えば貼付剤のような被包装物１４とから構成されている。包装用袋１２及び被包装物１４の形状は特に限定されないが、説明を簡単にするために、本実施形態では包装用袋１２及び被包装物１４を共に矩形とする。なお、「矩形」は、角が丸められたものも含むものとする。
【００２０】
包装用袋１２は、表側包装フィルム２０（以下、「第１包装フィルム」という）と裏側包装フィルム３０（以下、「第２包装フィルム」という）から構成されている。包装フィルム２０及び３０は１層構造であってもよいが、２層以上の複合フィルムとすることが好ましく、また、第１包装フィルム２０と第２包装フィルム３０に積層される材料が異なっていてもよい。また、包装フィルム２０及び３０を構成する材料としては、紙、シリコン加工紙、アルミニウム、ポリエチレンテレフタレート（ＰＥＴ）、ポリエチレン（ＰＥ）、ポリプロピレン（ＰＰ）、ポリエチレンビニルアルコール（ＥＶＯＨ）、環状オレフィンコポリマー（ＣＯＣ）、ポリアクリロニトリル（ＰＡＮ）及びセロハン等が挙げられ、複合フィルムの場合は、これらを任意に組み合わせたものが考えられる。
【００２１】
このような包装フィルム２０及び３０を、互いに重ね合わせた後、外周部分をシールすることで、収容部１５とシール部１６を備える包装用袋１２が形成される。シール方法としてはヒートシール法が好ましいが、接着剤を用いての圧着など、他の方法を採ってもよい。
【００２２】
第１包装フィルム２０及び第２包装フィルム３０には、包装用袋１２を開封し易くするための第１開封線２２及び第２開封線３２が形成されている。開封線２２及び３２は細線状の弱化線、又は幅広の弱化線等で構成されることが考えられる。各開封線２２及び３２は、１本の細線状又は幅広の弱化線から構成することができるが、好ましくは複数本、例えば５本の互いに平行に延びる細線状の弱化線から構成されるとよい。
【００２３】
図１に示す実施形態では、第１開封線２２及び第２開封線３２は共に直線状となっている。第２開封線３２は、包装用袋１２の一方の外縁１８ａから、これに対向する他方の外縁１８ｂに向かって、残りの外縁１８ｃ，１８ｄと平行に延びている。また、第２開封線３２は、包装用袋１２の外縁１８ｃから比較的短い距離を置いて、その両端部を除いてシール部１６よりも内側で延びている。
【００２４】
第１開封線２２は、第２開封線３２に対して所定の交差角度αをもって交差している。交差角度αは０度よりも大きく９０度以下であるが、開封時に被包装物１４の一部が第１開封線２２から露出するよう、好ましくは１０度〜９０度、より好ましくは２０度〜４５度の範囲内とされている。第１開封線２２と第２開封線３２との交差部４０は、包装用袋１２の外縁１８ａに近い位置であって、シール部１６よりも内側の位置となっている。したがって、第１開封線２２は、交差角度αにもよるが、包装用袋１２の外縁１８ａから外縁１８ｂ又は１８ｄに向かって斜めに延びる。
【００２５】
第１開封線２２と第２開封線３２が前述したような位置関係にある場合、交差部４０に近い側の第１開封線２２の端部と第２開封線３２の端部との間には、図２に示すように一定の距離が形成される。この端部間の包装用袋１２の外縁１８ａには、易開封手段として、開封開始点となる切欠き４２が形成されている。切欠き４２の形状は、図示の二等辺三角形や鋸歯形状が考えられるが、直線的な切込みノッチやＵ字形のような丸みを帯びたノッチであってもよい。さらに、開封開始点として、その箇所のシール部１６に多数の細孔を形成したようなものも考えられる。
【００２６】
次に、図１〜図３を参照しながら、本発明による包装用袋１２の開封方法について説明する。まず、包装用袋１２を開封するためには、使用者は、切欠き４２の両側Ａ及びＢをそれぞれ指で抓み、Ａを上向きに、Ｂを下向きに引き離すこととなる。これにより、包装フィルム２０及び３０は、切欠き４２を起点として引き裂かれていく。
【００２７】
この引裂き過程では、例えば、図２の（ａ）に示すように、力Ｆを第２開封線３２と略平行の方向に作用させると、切欠き４２から引裂き線５０が第２開封線３２と略平行にシール部１６を進行し、包装用袋１２の外縁１８ａの側に位置する第１開封線２２の最も外側の縁部に到達する（図２の（ｂ））。ここで、引裂き線５０は第１開封線２２に案内されて向きを変える。この際、使用者の指が加える力Ｆは、引裂き開始時と同様、第２開封線３２に沿う力を維持しているが、引裂き線５０の進行方向が屈曲することにより、力Ｆの一部が、図２の（ｂ）の矢印Ｆ´で示す方向にも作用することになる。その結果、引裂き線５０は第１開封線２２を引き裂きながら、第１開封線２２と第２開封線３２の交差部４０へと進み、やがて引裂き線５０は包装用袋１２の外縁１８ｂの側に位置する第２開封線３２の最も外側の縁部に到達する（図２の（ｃ））。
【００２８】
第１開封線２２と第２開封線３２の交差部４０は、シール部１６にはなく、収容部１５に位置している。すなわち、交差部４０から包装用袋１２の外縁１８ｃ，１８ｄに向かう部分では、第１開封線２２は第２包装フィルム３０とは接合しておらず、同様に第２開封線３２は第１包装フィルム２０とは接合していないことになる。そのため、交差部４０に到達した引裂き線５０は、第２包装フィルム３０に拘束されていない第１開封線２２を円滑に進行していく。また、交差部４０にて第２開封線３２に到達した引裂き線５０は、第２開封線３２が第１包装フィルム２０とは接合していないことから、且つ、作用者の指が加えている力Ｆが第２開封線３２と略平行であることから、引裂き線５０は第２開封線３２にも案内されこれを安定して引き裂いていく。
【００２９】
以上のようにして、安定して第１開封線２２及び第２開封線３２に沿って第１包装フィルム２０及び第２包装フィルム３０が引き裂かれていき、図２の（ｄ）及び図３に示すように、被包装物１４の一部が第１開封線２２から露出される。その結果、使用者は被包装物１４の露出部を抓まんで、容易に取り出すことが可能となる。その一方で、被包装物１４の残りの部分は第１包装フィルム２０と第２包装フィルム３０との間に挟持された状態を維持する。このため、この部分を指で抓んだとしても、指が被包装物１４を直接触れることはなく、衛生的である。
【００３０】
また、開封線２２及び３２は単純なミシン目のような弱化線から構成しても、上記の作用効果を奏することができるので、包装用袋１２の製造が容易となり、製造コストの低減を図ることも可能となる。
【００３１】
なお、図２に沿って説明した上記の引裂き工程は、力Ｆを第２開封線３２と平行に作用させた場合であるが、第１開封線２２に向けた方向に力Ｆを作用させることもできる。この場合、引裂き線５０は、第２開封線３２に最初に到達してこれを引き裂き、次いで交差部４０から第１開封線２２及び第２開封線３２を引き裂いていくことになる。この工程は図２に示す上記引裂き工程とは逆の順で開封線２２及び３２を引き裂いていくが、これらの開封線２２及び３２を安定して引き裂いていくことについては上記の引裂き工程と同様である。このことから、開封開始点４２に加える力の方向がどのようなものであっても、包装用袋１２は開封線２２及び３２に沿って開封されることになる。
【００３２】
また、第１開封線２２と第２開封線３２との間の交差角度αが、図４に示すように９０度であっても、開封時に力が作用する態様は上記の引裂き工程と同様であり、交差角度αが０度よりも大きく９０度以下であれば、本発明の作用効果を奏することが可能である。
【００３３】
次に、開封線２２及び３２が複数本の細線状の弱化線から構成され、３ｍｍ以上の幅を有している場合について考察する。
【００３４】
図５は、包装用袋１２を構成する１枚の包装フィルム２０に、上縁１８ｃに対して４５度の角度で５本の弱化線６０ａ〜６０ｅを入れたものを示している。これらの弱化線６０ａ〜６０ｅの複合体が第１開封線２２に相当するものである。弱化線６０ａ〜６０ｅの間隔は１ｍｍとした。各弱化線６０ａ〜６０ｅの上側の端部は包装フィルム２０の外縁１８ａから約５ｍｍ離れた位置となっている。また、図５に示すように、弱化線６０ａ〜６０ｅの前記端部に正対する位置には、開封開始点４２として直線的な切込みノッチを１つ形成した。図５の例は、最も下側の弱化線６０ａに対して切込みノッチ４２を設けたものであるが、弱化線６０ｂ〜６０ｅのそれぞれに対応して切込みノッチ４２を設けた包装フィルムを用意した。したがって、包装フィルム２０は、切込みノッチ４２の位置が異なる５種類となる。
【００３５】
このような包装フィルム２０を用いて、切込みノッチ４２から上縁１８ｃに平行な方向に力を加えるという引裂き実験を行った。この実験は、図２を参照して説明した上記の引裂き工程における第１包装フィルム２０の引裂き状態を検証するものである。
【００３６】
この実験では、切込みノッチ４２が正対する弱化線６０が最初に引き裂かれていくが、引裂き力Ｆは上縁１８ｃと平行に加え続けているため、引裂き線は図５において右方向に進もうとし、場合によっては隣接する右側の弱化線６０に引裂き線が移ることがある。このため、弱化線６０ｃ〜６０ｅに正対する切込みノッチ４２から引裂きを開始した場合、開封線２２の途中から引裂き線が逸脱するという現象が見られた。これは、特許文献２に記載の包装用袋で生じるおそれのある不具合の原因と考えることもできる。
【００３７】
しかし、本発明によれば、引裂き線は必ず最も左側の弱化線６０ａに沿って進むということになるため、引裂き線が右側の弱化線６０ｂに移るような場合であっても、開封線が複数本の弱化線から構成され、幅があるときには、引裂き線は開封線の起点から他端までほぼ全長にわたり進行することが分かった。
【００３８】
かかる実験から、開封線は複数本の弱化線から構成し、且つ、幅を３ｍｍ以上とすることが有効であることが分かる。また、開封線を構成する複数本の弱化線は細線状のものに限られず、幅広のものであっても、挙動は細線状の弱化線と同様であるため、複数本で構成することは有効であることも分かる。
【００３９】
以上、本発明の好適な実施形態について説明したが、本発明は上記実施形態に限定されないことは言うまでもない。
【００４０】
例えば、上記実施形態では第１開封線２２と第２開封線３２の交差部４０が包装用袋１２の角部の近傍に配置されているが、交差部４０は、シール部１６よりも内側に位置するのであれば、シール部１６の任意の位置の近傍とすることができる。例えば、図６に示すような形態も本発明の範囲内のものである。
【符号の説明】
【００４１】
１０…包装体、１２…包装用袋、１４…被包装物、１５…収容部、１６…シール部、１８ａ〜１８ｄ…外縁、２０…第１包装フィルム、２２…第１開封線、３０…第２包装フィルム、３２…第２開封線、４０…交差部、４２…開封開始点（切欠き、切込みノッチ）、５０…引裂き線、６０ａ〜６０ｅ…弱化線。
【図１】
2018002227.tif 000003
【図２】
2018002227.tif 000004
【図３】
2018002227.tif 000005
【図４】
2018002227.tif 000006
【図５】
2018002227.tif 000007
【図６】
2018002227.tif 000008
【図７】
2018002227.tif 000009